(57)【要約】  車両の状況および車両周辺の状況を示す情報を取得する情報取得部１と、車両および車両周辺における所定の項目の特定の状況内容を形容する表現を画像化した画像情報を蓄積するコンテンツデータベース５と、車両の状況および車両周辺の状況を示す情報から所定の項目に関連する情報を抽出し、抽出した情報を所定の項目の状況内容を示す情報に変換する情報変換部２と、所定の項目の状況内容を示す情報から、所定の項目の特定の状況内容を推定し、推定した特定の状況内容に対応した画像情報をコンテンツデータベース５から取得するエンタテイメントコンテンツ生成部３と、取得した画像情報を車載ディスプレイ８に表示する表示制御部７とを備える。
2014054171.tif 000002
【特許請求の範囲】
【請求項１】
車両に搭載され、当該車両の乗員に対して情報を提示する車載情報処理装置において、
前記車両の状況および車両周辺の状況を示す情報を取得する情報取得部と、
前記車両および車両周辺における所定の項目の特定の状況内容を形容する表現を画像化した画像情報を蓄積するデータベースと、
前記情報取得部が取得した車両の状況および車両周辺の状況を示す情報から前記所定の項目に関連する情報を抽出し、抽出した情報を前記所定の項目の状況内容を示す情報に変換する情報変換部と、
前記情報変換部が変換した前記所定の項目の状況内容を示す情報から、前記所定の項目の特定の状況内容を推定し、推定した特定の状況内容に対応した画像情報を前記データベースから取得するエンタテイメントコンテンツ生成部と、
前記エンタテイメントコンテンツ生成部が取得した画像情報を表示部に表示する表示制御部とを備えたことを特徴とする車載情報処理装置。
【請求項２】
前記データベースは、自車両の特定の走行状態を形容する自車両の運転者の感情、心理あるいは動静を画像化した画像情報を蓄積し、
前記情報変換部は、前記情報取得部が取得した車両の状況および車両周辺の状況を示す情報から自車両の走行状況に関連する情報を抽出し、自車両の走行状態を示す情報に変換し、
前記エンタテイメントコンテンツ生成部は、前記情報変換部が変換した自車両の走行状態を示す情報から、前記自車両の特定の走行状態を推定し、推定した自車両の特定の走行状態に対応した画像情報を前記データベースから取得することを特徴とする請求項１記載の車載情報処理装置。
【請求項３】
前記データベースは、自車両周辺を走行する周辺車両の特定の走行状態を形容する周辺車両の運転者の感情、心理あるいは動静を画像化した画像情報を蓄積し、
前記情報変換部は、前記情報取得部が取得した車両の状況および車両周辺の状況を示す情報から周辺車両の走行状況に関連する情報を抽出し、周辺車両の走行状態を示す情報に変換し、
前記エンタテイメントコンテンツ生成部は、前記情報変換部が変換した周辺車両の走行状態を示す情報から、前記周辺車両の特定の走行状態を推定し、推定した周辺車両の特定の走行状態に対応した画像情報を前記データベースから取得することを特徴とする請求項１記載の車載情報処理装置。
【請求項４】
前記データベースは、自車両周辺に位置する車外の人の特定の動作状態を形容する車外の人の感情、心理あるいは動静を画像化した画像情報を蓄積し、
前記情報変換部は、前記情報取得部が取得した車両の状況および車両周辺の状況を示す情報から車外の人の状況に関連する情報を抽出し、車外の人の動作状態を示す情報に変換し、
前記エンタテイメントコンテンツ生成部は、前記情報変換部が変換した車外の人の動作状態を示す情報から、車外の人の特定の動作状態を推定し、推定した車外の人の特定の動作状態に対応した画像情報を前記データベースから取得することを特徴とする請求項１記載の車載情報処理装置。
【請求項５】
前記データベースは、自車両の同乗者の特定の動作状態を形容する同乗者の感情、心理あるいは動静を画像化した画像情報を蓄積し、
前記情報変換部は、前記情報取得部が取得した車両の状況を示す情報から同乗者の状況に関連する情報を抽出し、同乗者の動作状態を示す情報に変換し、
前記エンタテイメントコンテンツ生成部は、前記変換部が変換した同乗者の動作状態を示す情報から、同乗者の特定の動作状態を推定し、推定した同乗者の特定の動作状態に対応した画像情報を前記データベースから取得することを特徴とする請求項１記載の車載情報処理装置。
【請求項６】
前記データベースは、道路の特定の状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から自車両が走行中の道路の状況に関連する情報を抽出し、道路の状況を示す情報に変換し、
前記エンタテイメントコンテンツ生成部は、前記情報変換部が変換した道路の状況を示す情報から、道路の特定の状態を推定し、推定した道路の特定の状態から自車両の運転者が受ける印象に対応した画像情報を前記データベースから取得することを特徴とする請求項１記載の車載情報処理装置。
【請求項７】
前記データベースは、天候の特定の状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から天候の状況に関連する情報を抽出し、天候の状態を示す情報に変換し、
前記エンタテイメントコンテンツ生成部は、前記情報変換部が変換した天候の状態を示す情報から、天候の特定の状態を推定し、推定した天候の特定の状態から自車両の運転者が受ける印象に対応した画像情報を前記データベースから取得することを特徴とする請求項１記載の車載情報処理装置。
【請求項８】
前記データベースは、信号機および標識の特定の視認状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から自車両が走行中の道路に設置された信号機および標識の視認性に関連する情報を抽出し、信号機および標識の視認状態を示す情報に変換し、
前記エンタテイメントコンテンツ生成部は、前記情報変換部が変換した信号機および標識の視認状態を示す情報から、信号機および標識の特定の視認状態を推定し、推定した信号機および標識の特定の視認状態から自車両の運転者が受ける印象に対応した画像情報を前記データベースから取得することを特徴とする請求項１記載の車載情報処理装置。
【請求項９】
前記データベースは、前記車両および車両周辺における所定の項目の特定の状況内容を形容する表現を、人工物または自然物に置き換えて画像化した画像情報を蓄積することを特徴とする請求項１記載の車載情報処理装置。
【請求項１０】
前記エンタテイメントコンテンツ生成部が取得した画像情報を蓄積するエンタテイメントコンテンツ蓄積部を備え、
前記表示制御部は、前記エンタテイメントコンテンツ蓄積部に蓄積された画像情報を読み出し、前記表示部に表示することを特徴とする請求項１記載の車載情報処理装置。
【発明の詳細な説明】
【技術分野】
【０００１】
この発明は、車両に搭載し、自車両および周辺車両の走行状態および自車両周辺環境を示した情報を提示する車載情報処理装置に関するものである。
【背景技術】
【０００２】
従来より、車両にカメラやセンサなどを搭載し、自車両の周辺で危険な運転を行う車両のデータを収集し、自車両の走行の安全性を高める技術が利用されている。
例えば特許文献１には、自車両に備えたカメラで周囲を撮影し、周辺車両が危険な運転を行った場合に、周辺車両の映像とその付随情報（位置、日時、車両登録番号など）をサーバに送信し、サーバ側で送信されたデータを用いて付随情報をキーとしたデータベースを作成する危険運転抑制装置が記載されている。車両登録番号などをキーとして作成されたデータベースを検索することにより、関連して保存された画像および付随情報が提供される。これにより、繰り返し危険な走行を行っている車両について、多数の危険行為を行っている画像とその付随情報を提供する。
【先行技術文献】
【特許文献】
【０００３】
【特許文献１】特開２００２−３４２８８３号公報
【発明の概要】
【発明が解決しようとする課題】
【０００４】
しかしながら、上述した特許文献１に開示された技術では、繰り返し危険な行為を行っている車両を特定して自車両の運転者に認識させるものであり、危険な行為を行っているか否かに関わることなく自車両の状態および車両周辺の状態を示す情報を提示することはできないという課題があった。また、特許文献１に開示された技術は、データベースを検索し、画像と付随情報を提供するものであり、運転者が、提示された情報から自車両および自車両周辺の状態を直感的に判断することが困難であるという課題があった。【０００５】
この発明は上記のような課題を解決するためになされたもので、危険運転を行う周辺車両の存在の報知に限定することなく、自車両および自車両周辺の状態を直感的に認識可能な情報を提示することを目的とする。
【課題を解決するための手段】
【０００６】
この発明に係る車載情報処理装置は、車両の状況および車両周辺の状況を示す情報を取得する情報取得部と、車両および車両周辺における所定の項目の特定の状況内容を形容する表現を画像化した画像情報を蓄積するデータベースと、情報取得部が取得した車両の状況および車両周辺の状況を示す情報から所定の項目に関連する情報を抽出し、抽出した情報を所定の項目の状況内容を示す情報に変換する情報変換部と、情報変換部が変換した所定の項目の状況内容を示す情報から、所定の項目の特定の状況内容を推定し、推定した特定の状況内容に対応した画像情報をデータベースから取得するエンタテイメントコンテンツ生成部と、エンタテイメントコンテンツ生成部が取得した画像情報を表示部に表示する表示制御部とを備えるものである。
【発明の効果】
【０００７】
この発明によれば、危険運転を行う周辺車両の存在の報知に限定されない利便性の高い情報を提示することができる。また、自車両および自車両周辺の状態を直感的に認識可能な情報を提示することができ、自車両の運転者は速やかに運転操作に反映させることができる。
【図面の簡単な説明】
【０００８】
【図１】実施の形態１による車載情報処理装置の構成を示すブロック図である。
【図２】実施の形態１による車載情報処理装置の情報変換部のテーブルの一例を示す図である。
【図３】実施の形態１による車載情報処理装置の表現データベースの一例を示す図である。
【図４】実施の形態１による車載情報処理装置のコンテンツデータベースの一例を示す図である。
【図５】実施の形態１による車載情報処理装置の動作を示すフローチャートである。
【図６】実施の形態１による車載情報処理装置の処理内容を模式的に示した説明図である。
【図７】実施の形態１による車載情報処理装置のその他の構成を示すブロック図である。
【発明を実施するための形態】
【０００９】
以下、この発明をより詳細に説明するために、この発明を実施するための形態について、添付の図面に従って説明する。
実施の形態１．
図１は、この発明の実施の形態１による車載情報処理装置１００の構成を示すブロック図である。
車載情報処理装置１００は、情報取得部１、情報変換部２、エンタテイメントコンテンツ生成部３、表現データベース４、コンテンツデータベース５、エンタテイメントコンテンツ蓄積部６、表示制御部７および車載ディスプレイ（表示部）８で構成されている。
【００１０】
情報取得部１は、車載カメラ１ａ、センサ１ｂ、マイク１ｃ、ナビゲーション装置１ｄ、インターネット１ｅ、モバイル端末１ｆなどで構成され、自車両のデータおよび自車両周辺のデータを取得する。自車両周辺のデータとは、例えば自車両の周辺を走行する周辺車両、自車両の周辺を歩行する人、自車両が走行する道路、現在の天候などを示すデータである。情報取得部１の構成は、使用状況に合わせて適宜変更可能である。情報取得部１が多くの情報取得手段で構成されることにより、より多くの情報を取得することができ、現在の自車両の走行状態や自車両周辺の状態に適したエンタテイメントコンテンツを生成することができる。
【００１１】
情報変換部２は、情報取得部１が取得した自車両のデータおよび周辺車両のデータから、自車両の運転者が通常の走行において視覚および聴覚により把握可能な情報、すなわち自車両および周辺車両の走行状況、車内および車外の人の状況、車外環境を示す情報など（以下、車両関連情報と称する）などを抽出する。抽出した車両関連情報は、情報変換部２があらかじめ保有しているテーブルに設定された所定の情報に変換される。
【００１２】
エンタテイメントコンテンツ生成部３は、情報変換部２の変換データから推定される自車両の状態および周辺車両の状態に基づいて、自車両の運転者、周辺車両の運転者、自車両の同乗者および車外の人の感情、心理あるいは動静を形容する表現を表現データベース４から取得する。同様に、情報変換部２の車両環境の変換データから推定される車両環境の状態に基づいて、運転者が受け取ると推定される感情や心理を形容する表現を表現データベース４から取得する。さらに、取得した形容表現から連想される概念を視覚的に示したエンタテイメントコンテンツ（画像情報）をコンテンツデータベース５から取得する。
【００１３】
表現データベース４は、自車両および周辺車両の運転者、自車両の同乗者および車外の人の感情、心理あるいは動静を形容する表現を蓄積すると共に、車外環境から人が受け取る感情または心理を形容する表現を蓄積する。コンテンツデータベース５は、人の感情、心理あるいは動静を形容する表現をから連想される概念を視覚的に示したイラスト（画像情報）を蓄積する。また、コンテンツデータベース５は、車外環境から人が受け取る感情または心理を形容する表現から連想される注意喚起を視覚的に示したイラスト（画像情報）を蓄積する。エンタテイメントコンテンツ蓄積部６は、エンタテイメントコンテンツ生成部３が取得したエンタテイメントコンテンツと、対応する車両関連情報、変換データおよび形容表現などを関連付けて蓄積する。
【００１４】
表示制御部７は、エンタテイメントコンテンツ生成部３が生成したエンタテイメントコンテンツを車載ディスプレイ８に表示する制御を行う。例えば、車載ディスプレイ８にナビゲーション画面を表示している場合には、当該ナビゲーション画面の相当する位置にエンタテイメントコンテンツを配置する表示制御を行う。また、操作入力部（不図示）などを介して入力された読み出し指示に従って、エンタテイメントコンテンツ蓄積部６から相当するエンタテイメントコンテンツを読み出し、車載ディスプレイ８に表示する制御を行う。車載ディスプレイ８は、例えばＬＣＤ（Ｌｉｑｕｉｄ  Ｃｒｙｓｔａｌ  Ｄｉｓｐｌａｙ）で構成され、表示制御部７の表示制御に基づいて、エンタテイメントコンテンツを例えばナビゲーション画面の所定の位置に重畳表示する。
【００１５】
次に、各構成をより詳細に説明する。
情報取得部１は、上述のように例えば、車載カメラ１ａ、センサ１ｂ、マイク１ｃ、ナビゲーション装置１ｄ、インターネット１ｅおよびモバイル端末１ｆなどで構成される。
車載カメラ１ａは、自車両および自車両の周辺状況を撮影するものであり、自車両の車内に設置された車載カメラは運転者や同乗者の状況を撮影し、自車両の車外に設置された車載カメラは、自車両と周辺車両との関係、周辺車両の走行状況、および車外環境などを撮影する。車載カメラ１ａは、車両前方と後方、車両内部と外部に設置するなど複数配置することが可能である。
【００１６】
センサ１ｂは、自車両および周辺車両の走行状況を検知する種々のセンサで構成される。例えば、自車両の周辺状況を監視するための距離センサ、自車両の走行状況を検知するための速度センサ、加速度センサ、運転者の運転操作を検知するための操舵角センサ、アクセル開度センサ、ブレーキセンサ、ギアチェンジレバーセンサ、自車両の同乗者の様子を検知するための人感センサなどが設けられる。センサ１ｂは、取得する情報に応じて複数配置可能である。
【００１７】
マイク１ｃは、自車両内および自車両外に配置され、自車両の車内の音声や、周辺車両などが発する音を集音する。マイク１ｃも取得する情報に応じて複数配置可能である。ナビゲーション装置１ｄは、自車両の走行距離や時間、走行中の道路種別や道路の混雑状況など車外環境を示す情報を取得する。インターネット１ｅは、車載カメラ１ａやモバイル端末１ｆが撮影した周辺車両の撮影映像から周辺車両の車種情報を取得する。モバイル端末１ｆは、運転者や同乗者の通話履歴に基づいて、運転者や同乗者の性格などを推定してもよい。
【００１８】
次に、情報変換部２について説明する。
情報変換部２は、まず情報取得部１が取得したデータから車両関連情報を抽出する。抽出した車両関連情報は、情報変換部２があらかじめ保有するテーブルに設定された自車両の動き、周辺車両の動き、道路の状況などを示す変換データに変換される。データの変換方法は種々あるが、例えば車両関連情報の値と、あらかじめ設定されたしきい値とを比較し、比較結果に該当する変換データをテーブルから選択する。また、車両関連情報のうち車載カメラ１ａの撮影映像やナビゲーション装置１ｄのナビ情報を解析し、解析結果に該当する変換データをテーブルから選択する。
【００１９】
図２は、この発明の実施の形態１による車載情報処理装置１００の情報変換部２が保有し、参照するテーブルの一例を示す図である。
テーブルは、「変換対象」および「変換データ」で構成される。変換対象（所定の項目）は、例えば「自車両の動き」、「周辺車両の動き」、「自車両周辺の人の動き」、「車室内の人の動き」、「空の状況」、「道路の状況」、「交通信号の状況」、「交通標識の状況」などの項目で構成される。
【００２０】
変換データは、車両の左右方向の移動、前後方向の車両との関係、運転者の特徴的動作、車外の人の特徴的な動作や特徴的な分類、車内の人の特徴的な動作、現在の天候の特徴、走行中の道路の特徴、交通信号および交通標識の視認性に関する特徴などを示すデータで構成される。なお、図２の例では、車両関連情報の判断手法を合わせて記載しているが、テーブル内に当該判断手法を蓄積していなくてもよい。
【００２１】
図２で示したテーブルを用いて、情報変換部２が自車両の動きを変換データに変換する例を示すと、センサ１ｂが取得したふらつき度合Ａをしきい値Ｐと比較し、ふらつき度合Ａがしきい値Ｐ未満である場合には「左右にふらつかない」との変換データを選択する。一方、ふらつき度合Ａがしきい値Ｐ以上である場合には「左右にふらつく」との変換データを選択する。さらに、ふらつき度合Ａがしきい値Ｐ以上である状態が所定時間以上続く場合には「蛇行運転」との変換データを選択する。
【００２２】
また、センサ１ｂが取得した車間距離Ｂをしきい値Ｑと比較し、車間距離Ｂがしきい値Ｑ未満である場合には「車間距離が短い」との変換データを選択する。一方、車間距離Ｂがしきい値Ｑ以上である場合には「車間距離が長い」との変換データを選択する。また、自車両内の撮影映像を解析した結果、運転者が正面を向いていないと判断した場合には「脇見運転」との変換データを選択する。
【００２３】
次に、エンタテイメントコンテンツ生成部３、表現データベース４およびコンテンツデータベース５について説明する。
エンタテイメントコンテンツ生成部３は、「自車両の動き」、「周辺車両の動き」、「自車両周辺の人の動き」および「車室内の人の動き」として情報変換部２が変換した複数の変換データに基づいて、表現データデータベース４と照合するための自車両の運転者の運転状態、周辺車両の運転者の運転状態、自車両周辺の人の状態および車室内の人の状態を推定し、推定した各状態に基づいて運転者や人の感情、心理あるいは動静を形容する表現をデータベース４から取得する。
具体例を挙げて説明すると、「自車両の動き」として変換された「通話しながらの運転」、「車間距離が長い」および「脇見運転」との変換データに基づいて、自車両の運転者の運転状態が「マイペースな運転」であると推定する。推定した「マイペースな運転」に基づいて運転者の心理を形容する表現「ニコニコ」をデータベース４から取得する。
【００２４】
また、エンタテイメントコンテンツ生成部３は、「空の状況」、「道路の状況」、「交通信号の状況」、「交通標識の状況」として情報変換部２が変換した複数の変換データに基づいて、表現データベース４と照合するための自車両の運転者が受ける印象を推定し、推定した各印象に基づいて運転者の感情あるいは心理を形容する表現をデータベース４から取得する。
具体例を挙げて説明すると、「空の状況」として変換された「夜」および「雨」との変換データから運転者が「運転し難い」との印象を受けると推定する。推定した「運転し難い」に基づいて運転者の心理を形容する表現「ハラハラ」をデータベース４から取得する。
【００２５】
その後、エンタテイメントコンテンツ生成部３は、データベース４から取得した形容表現から連想される概念を視覚的に示したイラストをエンタテイメントコンテンツとしてコンテンツデータベース５から取得する。
【００２６】
図３は、この発明の実施の形態１による車載情報処理装置１００の表現データベース４の一例を示す図である。
表現データベース４は、「コンテンツ生成対象」および「形容表現」で構成される。コンテンツ生成対象は、図２で示した変換対象と同様の項目「自車両の動き」、「周辺車両の動き」、「自車両周辺の人の動き」、「車室内の人の動き」、「空の状況」、「道路の状況」、「交通信号の状況」、「交通標識の状況」などで構成される。
「自車両の動き」、「周辺車両の動き」、「自車両周辺の人の動き」、「車室内の人の動き」に対する形容表現は、人の感情表現（喜怒哀楽、ニコニコなど）、人の心理表現（汚い、怖い、危ない、美しいなど）、動静表現（セカセカなど）で構成される。一方、「空の状況」、「道路の状況」、「交通信号の状況」、「交通標識の状況」に対する形容表現は、該当する情報から人が受け取る感情表現（爽やか、デコボコなど）および心理表現（見えにくい、わかりにくいなど）を示す文字列で構成される。
【００２７】
図４は、この発明の実施の形態１による車載情報処理装置１００のコンテンツデータベース５の一例を示す図である。
2014054171.tif 000003
【００２８】
図４に示したように、自車両の動きを示す場合には丸顔のイラストを用い、周辺車両の動き、自車両周辺の人の動き、および車室内の人の動きを示す場合には四角顔のイラストを用いるなど、自車両の動きとそれ以外とを区別したイラスト表記を用いることにより、視認性を向上させることができる。イラスト表記の区別は、形状によるものに限定されることなく、色や点滅表示などによるものでもよい。
【００２９】
次に、「道路の状況」を例に説明すると、形容表現が「イライラ」、「ドキドキ」、「デコボコ」、「汚い」、「怖い」、「危ない」、「暗い」、「見えにくい」の場合には「路面注意！」を明示したイラストが対応付けられ、形容表現が「イライラ」、「ドキドキ」、「暗い」、「見えにくい」の場合には「視界不良注意！」を明示したイラストが対応付けられる。一方、形容表現が「ニコニコ」、「きれい」、「明るい」、「見やすい」の場合には注意喚起が必要でないため、イラストは設定されない。
【００３０】
次に、車載情報処理装置１００の動作について説明する。
図５は、この発明の実施の形態１による車載情報処理装置１００の動作を示すフローチャートである。なお以下の説明では、車載情報処理装置１００には、あらかじめエンタテイメントコンテンツを生成するか否か、データを再取得するか否か、エンタテイメントコンテンツを蓄積するか否か、エンタテイメントコンテンツを車載ディスプレイ８に表示するか否かが設定されている（以下、設定条件と称する）ものとする。
【００３１】
まず車載情報処理装置１００は、設定条件を参照し、エンタテイメントコンテンツを生成するか否か判定する（ステップＳＴ１）。エンタテイメントコンテンツを生成しない場合（ステップＳＴ１；ＮＯ）、処理を終了する。一方、エンタテイメントコンテンツを生成する場合（ステップＳＴ１；ＹＥＳ）、情報取得部１は、自車両データ、および自車両周辺データを取得する（ステップＳＴ２）。情報変換部２は、ステップＳＴ２で取得された自車両データおよび自車両周辺データから、自車両の動き、周辺車両の動き、車両周辺の人の動き、車室内の人の動き、空の状況、道路の状況、交通信号の状況、および交通標識の状況など、自車両の運転者が把握可能な車両関連情報を抽出する（ステップＳＴ３）。さらに、あらかじめ保有しているテーブルを参照して、ステップＳＴ３で抽出した車両関連情報に相当する変換データを取得する（ステップＳＴ４）。
【００３２】
エンタテイメントコンテンツ生成部３は、ステップＳＴ４で変換された変換データに基づいて、表現データベース４と照合するための自車両または周辺車両の運転者の運転状態、同乗者または車外の人の状態を推定すると共に、車外環境から運転者が受ける印象を推定する（ステップＳＴ５）。さらにエンタテイメントコンテンツ生成部３は、推定した運転状態、人の状態、運転者が受ける印象に該当する形容表現が、表現データベース４に蓄積されているか否か判定を行う（ステップＳＴ６）。該当する形容表現が蓄積されていない場合（ステップＳＴ６；ＮＯ）、設定条件を参照し、再度自車両データおよび自車両周辺データを取得するか否か判定を行う（ステップＳＴ７）。再度、自車両データおよび自車両周辺データを取得する場合（ステップＳＴ７；ＹＥＳ）、ステップＳＴ１の処理に戻り、上述した処理を繰り返す。一方、自車両データおよび自車両周辺データを取得しない場合（ステップＳＴ７；ＮＯ）、処理を終了する。
【００３３】
一方、該当する形容表現が蓄積されている場合（ステップＳＴ６；ＹＥＳ）、エンタテイメントコンテンツ生成部３は該当する形容表現を選択し（ステップＳＴ８）、さらにコンテンツデータベース５を参照して選択した形容表現に対応するイラストであるエンタテイメントコンテンツを取得する（ステップＳＴ９）。エンタテイメントコンテンツ生成部３は、取得したエンタテイメントコンテンツに加えて、対応する車両関連情報、変換データおよび形容表現などをエンタテイメントコンテンツ蓄積部６に蓄積するか否か判定を行う（ステップＳＴ１０）。蓄積しない場合（ステップＳＴ１０；ＮＯ）、ステップＳＴ１２の処理に進む。一方、蓄積する場合（ステップＳＴ１０；ＹＥＳ）、データをエンタテイメントコンテンツ蓄積部６に蓄積する（ステップＳＴ１１）。
【００３４】
さらに、エンタテイメントコンテンツ生成部３は、設定条件を参照してステップＳＴ９で取得したエンタテイメントコンテンツを車載ディスプレイ８に表示するか否か判定を行う（ステップＳＴ１２）。車載ディスプレイ８に表示しない場合（ステップＳＴ１２；ＮＯ）、ステップＳＴ１４の処理に進む。車載ディスプレイ８に表示する場合（ステップＳＴ１２；ＹＥＳ）、表示制御部７を介して車載ディスプレイ８にエンタテイメントコンテンツを表示する（ステップＳＴ１３）。
【００３５】
その後、エンタテイメントコンテンツ生成部３は、設定条件を参照して、自車両データおよび自車両周辺データの取得を継続するか否か判定を行う（ステップＳＴ１４）。継続しない場合（ステップＳＴ１４；ＮＯ）、処理を終了する。一方、継続する場合（ステップＳＴ１４；ＹＥＳ）、ステップＳＴ２の処理に戻り、上述した処理を繰り返す。
【００３６】
上述した図５のフローチャートでは、あらかじめ設定条件が設定されている場合を例に示したが、あらかじめ設定条件を設定することなく、ステップＳＴ１、ＳＴ７、ＳＴ１０、ＳＴ１２においてユーザの選択入力を求める画面を車載ディスプレイ８に表示する、あるいはユーザの選択入力を求める音声アナウンスをスピーカ（不図示）から出力するように構成してもよい。
【００３７】
次に、上述した図５のフローチャートに沿って、取得された自車両データおよび自車両周辺データからエンタテイメントコンテンツが生成されるまでの具体例を、図６を参照しながら説明する。
図６は、この発明の実施の形態１による車載情報処理装置１００の処理内容を模式的に示した説明図である。図６（ａ）は情報取得部の構成例を示し、図６（ｂ）は情報変換部の変換処理例を示し、図６（ｃ）はエンタテイメントコンテンツ生成部の生成例を示し、図６（ｄ）は表現データベースの構成例を示し、図６（ｅ）はコンテンツデータベースの構成例を示し、図６（ｆ）は車載ディスプレイの表示例を示す。
【００３８】
図６（ａ）に示すように、情報取得部１は車載カメラ１ａ、センサ１ｂ、マイク１ｃ、ナビゲーション装置１ｄ、モバイル端末１ｆで構成される。情報取得部１の各構成は、ステップＳＴ２として自車両データおよび自車両周辺データを取得する。
【００３９】
図６（ｂ）に示すように、ステップＳＴ２で取得されたデータから、ステップＳＴ３として車両関連情報を抽出する。車両関連情報は「自車両の動き」、「周辺車両の動き」、「空の状況」、「道路の状況」に分類されて抽出され、例えば「自車両の動き」について運転者の表情を撮影した撮影映像、車体のふらつき情報、車内状態および車速測定の結果が抽出される。
【００４０】
次に、ステップＳＴ４として、車両関連情報としきい値との比較、あるいは車両関連情報の解析結果に基づいて、変換データをテーブルから選択する。例えば、運転者の表情を撮影した撮影映像の解析結果から「目がパッチリ明いている」との変換データを選択し、車速測定結果をしきい値と比較することにより「制限速度より遅い」との変換データを選択する。
【００４１】
図６（ｃ）に示すように、ステップＳＴ４で選択された変換データから、ステップＳＴ５として自車両の運転者および周辺車両の運転者の運転状態、空の状況および道路の状況から自車両の運転者が受ける印象を推定する。例えば、図６（ｂ）で示した自車両の動きを示した５つの変換データから、自車両の運転者の運転状態を「通話中のため周囲の状況を把握していない」と推定する。同様に、図６（ｂ）で示した空の状況を示した２つの変換データから、車外環境から自車両の運転者が受ける印象を「注意を必要とする」と推定する。
【００４２】
続いて、ステップＳＴ６およびステップＳＴ８として、図６（ｄ）に示した表現データベース４を参照して、ステップＳＴ５で推定した運転状態および印象を形容する表現を取得する。例えば、自車両の運転者について「通話中のため、周囲の状況を把握していない」と推定した運転状態に対して「ニコニコ」との形容表現を取得する。また、車外環境から自車両の運転者が受けた「注意を必要とする」との印象に対して「ハラハラ」との形容表現を取得する。
【００４３】
2014054171.tif 000004
【００４４】
図６（ｆ）に示すように、表示制御部７は、ステップＳＴ９で取得したエンタテイメントコンテンツを、ステップＳＴ１３として車載ディスプレイ８に表示する。図６（ｆ）のように車載ディスプレイ８にナビ画面を表示している場合には、走行中の道路上の相当する位置に自車両および周辺車両のエンタテイメントコンテンツを表示する。さらに、ナビ画面の空き領域に、車外環境を示すエンタテイメントコンテンツを表示する。
【００４５】
なお、自車両の運転者に対して注意を喚起させるエンタテイメントコンテンツが生成された場合には、車載情報処理装置１００が備えるスピーカ１０を介して音声アナウンスを出力するように構成してもよい（図６（ｃ）および図６（ｆ）参照）。図６（ｆ）の例では、自車両の後方にイライラした周辺車両が存在し、且つ路面に注意する必要があるため「後方注意！路面注意！」との音声アナウンスを出力する。
【００４６】
この音声アナウンス機能を備えた車載情報処理装置１００の構成を図７に示す。図７は、この発明の実施の形態１による車載情報処理装置１００のその他の構成を示すブロック図である。図１で示した車載情報処理装置１００に音声出力制御部９およびスピーカ１０を追加して設けている。
音声出力制御部９は、エンタテイメントコンテンツ生成部３が生成したエンタテイメントコンテンツをスピーカ１０から音声出力する制御を行う。スピーカ１０は、音声出力制御部９の音声出力制御に基づいて、エンタテイメントコンテンツに応じた音声アナウンスを出力する。エンタテイメントコンテンツに応じた音声アナウンスを出力することにより、自車両の運転者は自車両の状況および自車両の周辺状況をより認識しやすくなる。
【００４７】
図６（ｆ）で示した車載ディスプレイ８の表示例は一例であり、走行状態や走行場面により多種多様な表示を行うことができる。例えば、自車両の前を走行する車両が蛇行運転と速度の加減速が激しい場合には、当該車両の運転者はイライラしていると推定し、自車両の前を走行する車両を「怒」を示すイラストで示す。また、交通信号が右折可の場合に直進車両が交差点に進入してきた場合には、自車両の運転者がハラハラしていると推定し、自車両を「ハラハラ」を示すイラストで示す。
【００４８】
上述した例では、エンタテイメントコンテンツを人の顔を示したイラストおよび注意喚起を示すイラストを表示したが、当該イラストは自車両、周辺車両、自車両の同乗者、自車両周辺の人および車外環境の状況を適切に表現し、且つ表示内容から容易に形容表現が連想可能なイラストであればどのようなもので構成してもよい。例えば、人の感情表現である「怒」の形容表現に対して「鬼」や「山の噴火」のイラストをエンタテイメントコンテンツとして生成する、人の心理状況表現である「危ない」の形容表現に対して「銃」や「ライオンの顔」のイラストをエンタテイメントコンテンツとして生成する、人の心理表現である「格好良い」の形容表現に対して「スポーツカー」や「馬」のイラストをエンタテイメントコンテンツとして生成する。このように、自然物や人工物など種々のイラストをエンタテイメントコンテンツとして用いることができる。
【００４９】
また図６（ｆ）において例示しなかったが、車載ディスプレイ８に自車両の同乗者のエンタテイメントコンテンツを表示することにより、同乗者の状態や心理状態を運転者が容易に認識することができる。例えば、エンタテイメントコンテンツから後部座席の子供が寝ている、あるいは眠そうにしている状況を容易に認識することができ、当該認識により運転者は急ブレーキを避ける、緩やかに加速するなど同乗者の状況に合わせた運転を行うことができる。
【００５０】
また、車載ディスプレイ８にエンタテイメントコンテンツを表示する場合に、自車両の運転者や同乗者に対して警告となる情報を出力する場合には、表示色を赤色や黄色などの警告色にする、あるいは音声出力制御部９を介してスピーカ１０から警告音を出力するように構成してもよい。
【００５１】
また、表示制御部７が、エンタテイメントコンテンツ蓄積部６に蓄積されたエンタテイメントコンテンツ、および対応する車両関連情報、変換データおよび形容表現などを読み出し、車載ディスプレイ８に再度表示することにより、運転操作シミュレーションなどに活用することができる。
【００５２】
また、上述した例では、エンタテイメントコンテンツを一台の車載ディスプレイ８に出力する構成を示したが、複数台の車載ディスプレイ８に出力するように構成してもよい。これにより、同乗者は運転を擬似体験することができ、運転者に対してアドバイスを行うこともできる。なお、同乗者が視認するディスプレイには、エンタテイメントコンテンツのみを表示してもよい。
さらに車載ディスプレイ８に加えて、ネットワークで接続された離れた場所に配置されたディスプレイにも同時に表示するように構成してもよい。これにより自宅にいる家族などを車両の走行状態などを把握することができる。
【００５３】
また、上述した実施の形態１では、情報取得部１は車載カメラ１ａやセンサ１ｂ、マイク１ｃなど複数の情報取得手段を備える構成を示したが、いずれか１つの情報取得手段で構成してもよいし、任意の情報取得手段を選択して構成してもよい。
【００５４】
以上のように、この実施の形態１によれば、取得した自車両データおよび自車両周辺データから車両関連情報を抽出し、抽出した車両関連情報としきい値との比較、あるいは車両関連情報の解析結果に基づいて変換データを選択する情報変換部２と、変換データに基づいて、表現データベース４と照合するための人の感情、心理あるいは動静、あるいは変換データから人が受ける感情あるいは心理を推定し、推定した感情、心理あるいは動静を形容する表現をデータベース４から取得し、取得した形容表現を視覚的に示したエンタテイメントコンテンツをコンテンツデータベース５から取得するエンタテイメントコンテンツ生成部３と、エンタテイメントコンテンツを車載ディスプレイ８に表示する制御を行う表示制御部７とを備えるように構成したので、危険運転を行う周辺車両の存在の報知に限定されない、自車両の走行状態、同乗者の状態、自車両周辺の状態など利便性の高い情報を常に提供することができる。
【００５５】
また、この実施の形態１によれば、形容表現を、イラストを用いて視覚的に示したエンタテイメントコンテンツと対応付けて蓄積したコンテンツデータベース５を備えるように構成したので、認識性能を向上させた情報提示を実現することができる。また、エンタテイメントコンテンツから自車両の走行状態、同乗者の状態、自車両周辺の状態などを直感的に認識することができ、運転者は速やかに運転操作に反映させることができる。
【００５６】
また、この実施の形態１によれば、形容表現を、自然物または人工物を用いて視覚的に示したエンタテイメントコンテンツと対応付けて蓄積したコンテンツデータベース５を備えるように構成したので、運転者は自車両の走行状態、同乗者の状態、自車両周辺の状態などを直感的に認識することができる。
【００５７】
なお、本願発明はその発明の範囲内において、実施の形態の任意の構成要素の変形、もしくは実施の形態の任意の構成要素の省略が可能である。
【産業上の利用可能性】
【００５８】
以上のように、この発明に係る車載情報装置は、自車両状態および自車両周辺の状態を視覚的に示したエンタテイメントコンテンツの提示を可能としたので、直感的な認識性能が求められる車両の安全報知システムなどに好適である。
【符号の説明】
【００５９】
１  情報取得部、１ａ  車載カメラ、１ｂ  センサ、１ｃ  マイク、１ｄ  ナビゲーション装置、１ｅ  インターネット、１ｆ  モバイル端末、２  情報変換部、３  エンタテイメントコンテンツ生成部、４  表現データベース、５  コンテンツデータベース、６  エンタテイメントコンテンツ蓄積部、７  表示制御部、８  車載ディスプレイ、９  音声出力制御部、１０  スピーカ、１００  車載情報処理装置。
【図１】
2014054171.tif 000005
【図２】
2014054171.tif 000006
【図３】
2014054171.tif 000007
【図４】
2014054171.tif 000008
【図５】
2014054171.tif 000009
【図６】
2014054171.tif 000010
【図７】
2014054171.tif 000011
【手続補正書】
【提出日】平成26年9月22日(2014.9.22)
【手続補正１】
【補正対象書類名】明細書
【補正対象項目名】０００６
【補正方法】変更
【補正の内容】
【０００６】
この発明に係る車載情報処理装置は、車両の状況および車両周辺の状況を示す情報を取得する情報取得部と、車両の走行状況、車両の乗員の状況、車両周辺の移動体の状況、車両周辺の環境状況、車両が走行中の道路の状況、および車両が走行中の道路の交通状況をそれぞれ所定の項目とし、所定の項目における特定の状況内容を形容する人の感情表現、心理表現および動静表現を、自車両の動きと車室内および車両周辺の状況とで区別して画像化した画像情報を蓄積するデータベースと、情報取得部が取得した車両の状況および車両周辺の状況を示す情報から所定の項目に関連する情報を抽出し、抽出した情報を、所定の項目の状況内容を示す情報に変換する情報変換部と、情報変換部が変換した所定の項目の状況内容を示す情報から、所定の項目の特定の状況内容を推定し、推定した特定の状況内容に対応した画像情報をデータベースから取得するエンタテイメントコンテンツ生成部と、エンタテイメントコンテンツ生成部が取得した、自車両の動きと車室内および車両周辺の状況とで区別された画像情報を、人の感情表現、心理表現および動静表現に応じて注意喚起を明示しながら表示部に表示する表示制御部とを備えるものである。
【手続補正２】
【補正対象書類名】特許請求の範囲
【補正対象項目名】全文
【補正方法】変更
【補正の内容】
【特許請求の範囲】
【請求項１】
車両に搭載され、当該車両の乗員に対して情報を提示する車載情報処理装置において、
前記車両および車両周辺の状況を示す情報を取得する情報取得部と、
前記車両の走行状況、前記車両の乗員の状況、前記車両周辺の移動体の状況、前記車両周辺の環境状況、前記車両が走行中の道路の状況、および前記車両が走行中の道路の交通状況をそれぞれ所定の項目とし、前記所定の項目における特定の状況内容を形容する人の感情表現、心理表現および動静表現を、自車両の動きと車室内および車両周辺の状況とで区別して画像化した画像情報を蓄積するデータベースと、
前記情報取得部が取得した車両の状況および車両周辺の状況を示す情報から、前記所定の項目に関連する情報を抽出し、抽出した情報を、前記所定の項目の状況内容を示す情報に変換する情報変換部と、
前記情報変換部が変換した前記所定の項目の状況内容を示す情報から前記所定の項目の特定の状況内容を推定し、推定した特定の状況内容に対応した画像情報を前記データベースから取得するエンタテイメントコンテンツ生成部と、
前記エンタテイメントコンテンツ生成部が取得した、自車両の動きと車室内および車両周辺の状況とで区別された画像情報を、人の感情表現、心理表現および動静表現に応じて注意喚起を明示しながら表示部に表示する表示制御部とを備えたことを特徴とする車載情報処理装置。
【請求項２】
前記データベースは、信号機および標識の特定の視認状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から自車両が走行中の道路に設置された信号機および標識の視認性に関連する情報を抽出し、抽出した情報を、信号機および標識の視認状態を示す情報に変換し、
前記エンタテイメントコンテンツ生成部は、前記情報変換部が変換した信号機および標識の視認状態を示す情報から、信号機および標識の特定の視認状態を推定し、推定した信号機および標識の特定の視認状態から自車両の運転者が受ける印象に対応した画像情報を前記データベースから取得することを特徴とする請求項１記載の車載情報処理装置。
【請求項３】
前記データベースは、道路の特定の状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から自車両が走行中の道路の状況に関連する情報を抽出し、抽出した情報を、道路の状況を示す情報に変換し、
前記エンタテイメントコンテンツ生成部は、前記情報変換部が変換した道路の状況を示す情報から、道路の特定の状態を推定し、推定した道路の特定の状態から自車両の運転者が受ける印象に対応した画像情報を前記データベースから取得することを特徴とする請求項１記載の車載情報処理装置。
【請求項４】
前記データベースは、天候の特定の状態から自車両の運転者が受ける印象を形容する自車両の運転者の感情または心理を画像化した画像情報を蓄積し、
前記情報変換部は、前記情報取得部が取得した車両の状況および車両周辺の状況を示す情報から天候の状況に関連する情報を抽出し、抽出した情報を、天候の状態を示す情報に変換し、
前記エンタテイメントコンテンツ生成部は、前記情報変換部が変換した天候の状態を示す情報から、天候の特定の状態を推定し、推定した天候の特定の状態から自車両の運転者が受ける印象に対応した画像情報を前記データベースから取得することを特徴とする請求項１記載の車載情報処理装置。
【請求項５】
前記データベースは、自車両の同乗者の特定の動作状態を形容する同乗者の感情、心理あるいは動静を画像化した画像情報を蓄積し、
前記情報変換部は、前記情報取得部が取得した車両の状況および車両周辺の状況を示す情報から同乗者の状況に関連する情報を抽出し、抽出した情報を、同乗者の動作状態を示す情報に変換し、
前記エンタテイメントコンテンツ生成部は、前記情報変換部が変換した同乗者の動作状態を示す情報から、同乗者の特定の動作状態を推定し、推定した同乗者の特定の動作状態に対応した画像情報を前記データベースから取得することを特徴とする請求項１記載の車載情報処理装置。
【請求項６】
前記データベースは、自車両周辺に位置する車外の人の特定の動作状態を形容する車外の人の感情、心理あるいは動静を画像化した画像情報を蓄積し、
前記情報変換部は、前記情報取得部が取得した車両の状況および車両周辺の状況を示す情報から車外の人の状況に関連する情報を抽出し、抽出した情報を、車外の人の動作状態を示す情報に変換し、
前記エンタテイメントコンテンツ生成部は、前記情報変換部が変換した車外の人の動作状態を示す情報から、車外の人の特定の動作状態を推定し、推定した車外の人の特定の動作状態に対応した画像情報を前記データベースから取得することを特徴とする請求項１記載の車載情報処理装置。
【請求項７】
前記データベースは、自車両の特定の走行状態を形容する自車両の運転者の感情、心理あるいは動静を画像化した画像情報を蓄積し、
前記情報変換部は、前記情報取得部が取得した車両の状況および車両周辺の状況を示す情報から自車両の走行状況に関連する情報を抽出し、抽出した情報を、自車両の走行状態を示す情報に変換し、
前記エンタテイメントコンテンツ生成部は、前記情報変換部が変換した自車両の走行状態を示す情報から、前記自車両の特定の走行状態を推定し、推定した自車両の特定の走行状態に対応した画像情報を前記データベースから取得することを特徴とする請求項１記載の車載情報処理装置。
【請求項８】
前記データベースは、自車両周辺を走行する周辺車両の特定の走行状態を形容する周辺車両の運転者の感情、心理あるいは動静を画像化した画像情報を蓄積し、
前記情報変換部は、前記情報取得部が取得した車両の状況および車両周辺の状況を示す情報を抽出し、抽出した情報を、周辺車両の走行状態を示す情報に変換し、
前記エンタテイメントコンテンツ生成部は、前記情報変換部が変換した周辺車両の走行状態を示す情報から、前記周辺車両の特定の走行状態を推定し、推定した周辺車両の特定の走行状態に対応した画像情報を前記データベースから取得することを特徴とする請求項１記載の車載情報処理装置。
【請求項９】
前記データベースは、前記車両および車両周辺における所定の項目の特定の状況内容を形容する表現を、人工物または自然物に置き換えて画像化した画像情報を蓄積することを特徴とする請求項１記載の車載情報処理装置。
【請求項１０】
前記エンタテイメントコンテンツ生成部が取得した画像情報を蓄積するエンタテイメントコンテンツ蓄積部を備え、
前記表示制御部は、前記エンタテイメントコンテンツ蓄積部に蓄積された画像情報を読み出し、前記表示部に表示することを特徴とする請求項１記載の車載情報処理装置。
【国際調査報告】
2014054171.tif 000012
2014054171.tif 000013
2014054171.tif 000014
2014054171.tif 000015
2014054171.tif 000016
2014054171.tif 000017
2014054171.tif 000018